(57)【要約】【課題】  簡単な構成の壁際見切り縁により壁際において軒天井を支持し且つ通気ができ、しかも小屋裏空間側に雨水が吹き込まない。【解決手段】  壁際見切り縁７の固定用縦片１を壁８に固着具９により固着する。軒天井用野縁１０の端部を壁際見切り縁７の野縁載置用横片２上に載置して固着具９により野縁載置用横片２に軒天井用野縁１０を固着する。軒天井用野縁１０の下面に軒天井材１１を取着して軒天井材１１の端部を覆い用下横片の上に位置させると共に該軒天井材１１の側端面と垂下片４との間に通気用隙間１２を形成する。水返し用横片６の突出先端を軒天井材１１の側端面よりも壁８から離れる方向にずらして位置させて上記軒天井材１１の側端面と垂下片４との間の通気用隙間１２の上方位置に水返し用横片６を配置する。【選択図】        図１
2005213927.tif 000002
【特許請求の範囲】
【請求項１】
固定用縦片の下端部から一側方に野縁載置用横片を突出し、野縁載置用横片の突出先端部から下方に向けて通気孔を有する垂下片を垂設し、垂下片の下端から固定用縦片側と反対方向の側方に向けて覆い用下横片を突出し、固定用縦片の上端部から野縁載置用横片の突出方向と同方向に野縁載置用横片よりも長い突出長さで水返し用横片を突出して壁際見切り縁を構成し、上記壁際見切り縁の固定用縦片を壁に固着具により固着し、軒天井用野縁の端部を壁際見切り縁の野縁載置用横片上に載置して固着具により野縁載置用横片に軒天井用野縁を固着し、軒天井用野縁の下面に軒天井材を取着して軒天井材の端部を覆い用下横片の上に位置させると共に該軒天井材の側端面と垂下片との間に通気用隙間を形成し、水返し用横片の突出先端を軒天井材の側端面よりも壁から離れる方向にずらして位置させて上記軒天井材の側端面と垂下片との間の通気用隙間の上方位置に水返し用横片を配置して成ることを特徴とする軒天井の壁際における通気構造。
【発明の詳細な説明】
【技術分野】
【０００１】
本発明は、軒天井の壁際における通気構造に関し、詳しくは軒天井の壁際で通気するものにおいて小屋裏空間に風と共に雨水が侵入することがないようにする技術に関するものである。
【背景技術】
【０００２】
従来から軒天井の軒先に設けられる見切り縁に通気孔を設けて軒天井裏空間の換気を行うようにしたものが知られている。（例えば特許文献１参照）
また、上記特許文献１には従来例として壁際見切り縁に通気孔を設けたものも開示してある。
【０００３】
すなわち、特許文献１に示された軒先に設けられる通気孔３１を有する見切り縁３０は図４に示すようなものであり、また、通気孔３２を設けた壁際見切り縁３３は図５に示すようなものである。なお、図４、図５において、８は壁、１３は軒天井、２１は鼻板である。
【０００４】
ところで、軒天井裏空間１４は一般に建物の小屋裏空間１６と連通しており、図４のような従来例にあっては、通気孔３１から矢印Ａ方向に吹き込んだ風に乗って雨水が軒天井裏空間１４から小屋裏空間１６に吹き込み、また、図５のような従来例にあっては、通気孔３２から矢印Ｂ方向に吹き込んだ風に乗って雨水が軒天井裏空間１４から小屋裏空間１６に吹き込むという問題があった。
【特許文献１】特開２００１−９８６９３号公報
【発明の開示】
【発明が解決しようとする課題】
【０００５】
本発明は上記の点に鑑みてなされたものであり、簡単な構成の壁際見切り縁により壁際において軒天井を支持し且つ通気ができるようにしながら同時に小屋裏空間側に雨水が吹き込まないようにできる軒天井の壁際における通気構造を提供することを課題とするものである。
【課題を解決するための手段】
【０００６】
上記課題を解決するために請求項１に係る発明にあっては、固定用縦片１の下端部から一側方に野縁載置用横片２を突出し、野縁載置用横片２の突出先端部から下方に向けて通気孔３を有する垂下片４を垂設し、垂下片４の下端から固定用縦片１側と反対方向の側方に向けて覆い用下横片５を突出し、固定用縦片１の上端部から野縁載置用横片２の突出方向と同方向に野縁載置用横片２よりも長い突出長さで水返し用横片６を突出して壁際見切り縁７を構成し、上記壁際見切り縁７の固定用縦片１を壁８に固着具９により固着し、軒天井用野縁１０の端部を壁際見切り縁７の野縁載置用横片２上に載置して固着具９により野縁載置用横片２に軒天井用野縁１０を固着し、軒天井用野縁１０の下面に軒天井材１１を取着して軒天井材１１の端部を覆い用下横片の上に位置させると共に該軒天井材１１の側端面と垂下片４との間に通気用隙間１２を形成し、水返し用横片６の突出先端を軒天井材１１の側端面よりも壁８から離れる方向にずらして位置させて上記軒天井材１１の側端面と垂下片４との間の通気用隙間１２の上方位置に水返し用横片６を配置して成ることを特徴とするものである。
【０００７】
このような構成とすることで、軒天井用野縁１０と軒天井材１１とで構成される軒天井１３の壁８際の端部を支持すると共に軒天井１３の壁８際の仕舞いをするための壁際見切り縁７部分において通気孔３を介して軒天井裏空間１４の換気を行うことができるのはもちろん、壁８と垂下片４との間の入口側隙間１５を経て通気孔３から通気用隙間１２へと流れ込んで通気する際、風に乗って雨水が侵入しても通気用隙間１２の上方位置に位置する水返し用横片６により水返しが行われて、それ以上雨水が侵入せず、また、水返し用横片６により雨水が軒天井裏空間１４から小屋裏空間１６側に侵入しないようにできるものである。
【発明の効果】
【０００８】
本発明にあっては、壁際見切り縁の固定用縦片を壁に固着具により固着し、軒天井用野縁の端部を壁際見切り縁の野縁載置用横片上に載置して固着具により野縁載置用横片に軒天井用野縁を固着し、軒天井用野縁の下面に軒天井材を取着して軒天井材の端部を覆い用下横片の上に位置させると共に該軒天井材の側端面と垂下片との間に通気用隙間を形成し、水返し用横片の突出先端を軒天井材の側端面よりも壁から離れる方向にずらして位置させて上記軒天井材の側端面と垂下片との間の通気用隙間の上方位置に水返し用横片を配置してあるので、軒天井裏空間の換気ができるだけでなく、風に乗って雨水が侵入しても通気用隙間の上方位置に位置する水返し用横片により水返しが行われて、それ以上雨水が侵入せず、特に、上記水返し用横片による水返し効果に加え、水返し用横片により風の向きが壁と離れる方向に向けられ、これにより雨水が軒天井裏空間から小屋裏空間側に侵入するのを確実に防止できる。
【発明を実施するための最良の形態】
【０００９】
以下、本発明を添付図面に示す実施形態に基づいて説明する。
【００１０】
図３には本発明に用いる壁際見切り縁７が示してある。この壁際見切り縁７は、垂直な固定用縦片１の下端部から一側方に野縁載置用横片２を突出し、野縁載置用横片２の突出先端部から下方に向けて垂下片４を垂設し、垂下片４の下端から固定用縦片１側と反対方向の側方に向けて覆い用下横片５を突出し、固定用縦片１の上端部から野縁載置用横片２の突出方向と同方向に野縁載置用横片２よりも長い突出長さで水返し用横片６を突出して構成してある。なお、水返し用横片６の突出先端は添付図面に示す実施形態では覆い用下横片５の突出先端よりも更に固定用縦片１から離れる方向にずれて位置している。また、垂下片４には長手方向に多数の通気孔３が設けてある。
【００１１】
上記の構成の壁際見切り縁７は図１、図２に示すように、固定用縦片１を壁８の外面上部に当接して固着具９により固着するものである。壁８は添付図面に示す実施形態においては枠体８ｂに面板８ｃを取着して形成した壁パネル８ａにより構成してあり、該壁パネル８ａの上端面部には連結金具１７を固着し、該連結金具１７上に屋根パネル１８を載設して取付けてあり、屋根パネル１８の壁８よりも外側方に突出した軒部１９の下方に軒天井１３が設けられる。
【００１２】
軒天井１３は軒天井用野縁１０と天井用野縁１０の下面側に取着される軒天井材１１とで構成される。
【００１３】
軒天井用野縁１０は一端部を壁際見切り縁７の野縁載置用横片２上に載置して野縁載置用横片２の下方から木ねじ、釘等の固着具９を打入して固着されるものであり、軒天井用野縁１０の他端部は軒部１９の先端部に設けた鼻板２１の背面部に固着した受け桟２２の下面に当接すると共に下方から木ねじ、釘等の固着具９を打入して固着されるものである。天井用野縁１０の下面側には軒天井材１１が配置され、下方から木ねじ、釘等の固着具９を打入して固着されるものである。ここで、軒天井材１１の壁８側の端部は覆い用下横片５の上に位置して軒天井１１の端部を覆い用下横片５により下方から覆っており、更に、該軒天井材１１の壁８側の側端面と垂下片４との間に上方に開口し且つ通気孔３と連通する通気用隙間１２が形成されるようになっている。また、壁８と垂下片４との間には下方に開口し且つ垂下片４の通気孔３と連通する入口側隙間１５が形成される。したがって、該下方が開口した入口側隙間１５、通気孔３、上方が開口した通気用隙間１２を介して軒天井裏空間１４と屋外空間とが連通していて換気が行えるようになっている。
【００１４】
ところで、本発明においては、水返し用横片６が上記軒天井材１１の側端面と垂下片４との間の通気用隙間１２の上方位置に位置していて上記入口側隙間１５、通気孔３、通気用隙間１２を経て通気用隙間１２の上方開口から上方に吹き上げてくる雨水の水返しを行うようにしたことに特徴がある。
【００１５】
すなわち、雨の時に強風に乗って雨が上記入口側隙間１５、通気孔３、通気用隙間１２を経て軒天井裏空間１４に侵入しようとする場合があるが、通気用隙間１２の上開口から上方に吹き上がった雨水混じりの風が水返し用横片６に当たって水切りを行ない、雨水が侵入するのを防止しており、また、例え、水返し用横片６で完全に水切りができなかったとしても、図１の矢印Ｃのように軒天井裏空間１４の壁から離れる方向に向けて風が吹き込むので、軒天井裏空間１４と連通する小屋裏空間１６側には直接風が吹き込むことはなく、したがって、小屋裏空間１６内に雨水が吹き込むのを確実に防止することができるものである。
【００１６】
なお、図１、図２に示す実施形態においては、軒天井材１１の壁８側の端部の下面が覆い用下横片５から上に浮いて位置していて軒天井材１１の壁８側の端部の下面と覆い用下横片５の上面との間に一側方が外部に開口し且つ他側方が通気用隙間１２に開口する補助隙間２０が形成してあり、この補助隙間２０、通気用隙間１２を介しても軒天井裏空間１４に通気ができるようにしている。
【００１７】
そして、水返し用横片６により水切りが行われた雨水は下方に落下して真下の覆い用下横片５に滴下し、上記補助隙間２０や通気孔３から外部に排出されるものである。
【図面の簡単な説明】
【００１８】
【図１】本発明の断面図である。
【図２】同上の要部拡大断面図である。
【図３】同上に用いる壁際見切り縁を示し、（ａ）は断面図であり、（ｂ）は一部省略正面図である。
【図４】従来例を示す断面図である。
【図５】他の従来例を示す断面図である。
【符号の説明】
【００１９】
１  固定用縦片
２  野縁載置用横片
３  通気孔
４  垂下片
５  覆い用下横片
６  水返し用横片
７  壁際見切り縁
８  壁
９  固着具
１０  軒天井用野縁
１１  軒天井材
１２  通気用隙間
【図１】
2005213927.tif 000003
【図２】
2005213927.tif 000004
【図３】
2005213927.tif 000005
【図４】
2005213927.tif 000006
【図５】
2005213927.tif 000007